(57)【要約】  監視システム（１）は、電気機器（１００ａ〜１００ｄ）と、該電気機器（１００ａ〜１００ｄ）とネットワーク（Ｎ）とを通信可能に接続する通信アダプタ（２００）と、該電気機器（１００ａ〜１００ｄ）の状態を監視する監視装置（３００）と、を有する。監視装置（３００）は、ユーザからの入力により、電気機器（１００ａ〜１００ｄ）の電源が常時オンの状態であるか否かを表す稼働形態を取得する。また、監視装置（３００）は、各電気機器（１００ａ〜１００ｄ）に、該電気機器の状態の取得を要求する状態取得要求を送信する。そして、監視装置（３００）は、送信された状態取得要求に対する応答と、取得された稼働形態と、に基づいて、電気機器（１００ａ〜１００ｄ）の状態を判定する。
2015071972.tif 000002
【特許請求の範囲】
【請求項１】
電気機器と、該電気機器と通信可能に接続され、該電気機器の状態を監視する監視装置と、を有する監視システムであって、
前記監視装置は、
前記電気機器の電源が常時オンの状態であるか否かを表す稼働形態を取得する取得部と、
前記電気機器に、該電気機器の状態の取得を要求する状態取得要求を送信する状態取得要求送信部と、
前記状態取得要求送信部により送信された状態取得要求に対する応答と、前記取得部により取得された稼働形態と、に基づいて、前記電気機器の状態を判定する第１判定部と、を備える、
監視システム。
【請求項２】
前記第１判定部が、前記電気機器から、前記状態取得要求送信部により送信された状態取得要求に対する応答を受信しなかった場合において、前記取得部により取得された稼働形態が、前記電気機器の電源が常時オンの状態でない旨を表す場合、前記第１判定部は、前記電気機器の電源がオフの状態である可能性があると判定する、
請求項１に記載の監視システム。
【請求項３】
前記第１判定部が、前記電気機器から、前記状態取得要求送信部により送信された状態取得要求に対する応答を受信しなかった場合において、前記取得部により取得された稼働形態が、前記電気機器が常時電源がオンの状態である旨を表す場合、前記第１判定部は、前記電気機器と前記監視装置との間の通信に異常があると判定する、
請求項１または２に記載の監視システム。
【請求項４】
前記取得部は、ユーザから、前記電気機器の稼働形態を表す入力を受け付ける、
請求項１乃至３のいずれか１項に記載の監視システム。
【請求項５】
前記電気機器と、前記監視装置と、に通信可能に接続される第１通信アダプタをさらに備え、
前記第１通信アダプタは、
電気機器毎に、該電気機器の稼働形態を対応付けて記憶する記憶部と、
前記記憶部から、前記電気機器に対応する稼働形態を特定する特定部と、
前記特定部により特定された稼働形態を前記電気機器に送信する稼働形態送信部と、を備え、
前記取得部は、前記稼働形態送信部から、前記電気機器の稼働形態を取得する、
請求項１乃至３のいずれか１項に記載の監視システム。
【請求項６】
前記状態取得要求送信部は、前記電気機器に、前記状態取得要求を定期的に送信し、
前記取得部は、前記状態取得要求送信部により送信された状態取得要求に対する応答の有無が変化した頻度が閾値よりも小さい場合、前記電気機器の電源が常時オンの状態である旨を表す稼働形態を取得する、
請求項１乃至５のいずれか１項に記載の監視システム。
【請求項７】
前記電気機器と、前記監視装置と、に通信可能に接続される第２通信アダプタをさらに備え、
前記第２通信アダプタは、
前記電気機器から前記第２通信アダプタに供給される電力を検知する検知部と、
前記検知部により検知された前記電力の有無が変化した場合、前記監視装置に、前記電気機器の電源状態が変化した旨を通知する通知部と、を備え、
前記監視装置は、
前記通知部から受信した前記通知に基づいて、前記電気機器の電源状態を表すフラグを更新し、前記電気機器から、前記状態取得要求送信部により送信された状態取得要求に対する応答と、前記フラグと、に基づいて、前記電気機器の状態を判定する第２判定部をさらに備える、
請求項１乃至６のいずれか１項に記載の監視システム。
【請求項８】
前記監視装置と通信可能に接続される、電源検知装置をさらに備え、
前記電源検知装置は、
電源から前記電気機器に供給される電流を検知する検知部と、
前記検知部により検知された前記電流の波形が、前記電気機器の電源状態の変化を表す波形パターンとマッチする場合、前記監視装置に、前記電気機器の電源状態が変化した旨を通知する通知部と、を備え、
前記監視装置は、
前記通知部から受信した前記通知に基づいて、前記電気機器の電源状態を表すフラグを更新し、前記電気機器から、前記状態取得要求送信部により送信された状態取得要求に対する応答と、前記フラグと、に基づいて、前記電気機器の状態を判定する第２判定部をさらに備える、
請求項１乃至６のいずれか１項に記載の監視システム。
【請求項９】
電気機器と通信可能に接続され、該電気機器の状態を監視する監視装置であって、
前記電気機器の電源が常時オンの状態であるか否かを表す稼働形態を取得する取得部と、
前記電気機器に、該電気機器の状態の取得を要求する状態取得要求を送信する状態取得要求送信部と、
前記状態取得要求送信部により送信された状態取得要求に対する応答と、前記取得部により取得された稼働形態と、に基づいて、前記電気機器の状態を判定する判定部と、
を備える監視装置。
【請求項１０】
電気機器と通信可能に接続され、該電気機器の状態を監視する監視方法であって、
前記電気機器の電源が常時オンの状態であるか否かを表す稼働形態を取得する取得ステップと、
前記電気機器に、該電気機器の状態の取得を要求する状態取得要求を送信する状態取得要求送信ステップと、
前記状態取得要求送信部により送信された状態取得要求に対する応答と、前記取得部により取得された稼働形態と、に基づいて、前記電気機器の状態を判定する判定ステップと、
を有する監視方法。
【請求項１１】
電気機器と通信可能に接続され、該電気機器の状態を監視するコンピュータを、
前記電気機器の電源が常時オンの状態であるか否かを表す稼働形態を取得する取得部、
前記電気機器に、該電気機器の状態の取得を要求する状態取得要求を送信する状態取得要求送信部、
前記状態取得要求送信部により送信された状態取得要求に対する応答と、前記取得部により取得された稼働形態と、に基づいて、前記電気機器の状態を判定する判定部、
として機能させるためのプログラム。
【発明の詳細な説明】
【技術分野】
【０００１】
本発明は、電気機器の稼働状態を監視する監視システム、監視装置、監視方法、及びプログラムに関する。
【背景技術】
【０００２】
従来より、電気機器の稼働状況を監視し、故障の検知や省エネルギー対策に利用される、機器データ収集システムが提案されている（例えば、特許文献１参照）。
【先行技術文献】
【特許文献】
【０００３】
【特許文献１】特開２００３−２８９５８９号公報
【発明の概要】
【発明が解決しようとする課題】
【０００４】
特許文献１に開示されているようなシステムでは、電気機器の状態の取得要求に対して電気機器が応答しない場合、その原因が通信異常によるものか、または、単に電気機器の電源がオンになっておらず、通信ができなかったためなのか、判定できない。【０００５】
本発明は、上記実情に鑑みてなされたものであり、電気機器の稼働状態をより精度良く監視可能な監視システム、監視装置、監視方法、及びプログラムを提供することを目的とする。
【課題を解決するための手段】
【０００６】
上記目的を達成するために、本発明に係る監視システムは、電気機器と、該電気機器と通信可能に接続され、該電気機器の状態を監視する監視装置と、を有する。前記監視装置の取得部は、前記電気機器の電源が常時オンの状態であるか否かを表す稼働形態を取得する。前記監視装置の状態取得要求送信部は、前記電気機器に、該電気機器の状態の取得を要求する状態取得要求を送信する。前記監視装置の判定部は、前記状態取得要求送信部により送信された状態取得要求に対する応答と、前記取得部により取得された稼働形態と、に基づいて、前記電気機器の状態を判定する。
【発明の効果】
【０００７】
本発明によれば、状態取得要求に対する電気機器からの応答と、その電気機器の稼働形態とに基づいて、その電気機器の状態を判定するため、電気機器の稼働状態をより精度良く監視することができる。
【図面の簡単な説明】
【０００８】
【図１】実施形態１に係る監視システムの構成例を示す概略ブロック図である。
【図２】実施形態１に係る監視装置のハードウェア構成の一例を示す概略ブロック図である。
【図３】実施形態１に係る監視装置の機能構成の一例を示す概略ブロック図である。
【図４】監視装置の出力部の画面に表示される設定テーブルの一例を示す図である。
【図５】稼働形態テーブルに含まれるデータの一例を示す図である。
【図６】監視装置の出力部の画面に表示される判定結果テーブルの一例を示す図である。
【図７】実施形態１に係る監視システムのシーケンス図の一例である。
【図８】実施形態１に係る稼働形態取得処理のフローチャートの一例である。
【図９】実施形態１に係る状態判定処理のフローチャートの一例である。
【図１０】実施形態２に係る通信アダプタの構成例を示す概略ブロック図である。
【図１１】実施形態２に係る監視装置の機能構成の一例を示す概略ブロック図である。
【図１２】実施形態３に係る監視装置の機能構成の一例を示す概略ブロック図である。
【図１３】実施形態３に係る状態判定処理のフローチャートの一例である。
【図１４】実施形態４に係る監視システムの構成例を示す概略ブロック図である。
【図１５】実施形態４に係る第２通信アダプタの構成例を示す概略ブロック図である。
【図１６】実施形態４に係る監視装置の機能構成の一例を示す概略ブロック図である。
【図１７】実施形態４に係る状態判定処理のフローチャートの一例である。
【図１８】実施形態５に係る監視システムの構成例を示す概略ブロック図である。
【図１９】実施形態５に係る電源検知装置の構成例を示す概略ブロック図である。
【発明を実施するための形態】
【０００９】
本発明の実施の形態について、図面を参照して詳細に説明する。
【００１０】
（実施形態１）
図１は、本発明の実施形態１に係る監視システム１の構成例を示す概略ブロック図である。監視システム１は、複数の電気機器１００ａ〜１００ｄの稼働状況を監視するシステムである。図１に示すように、監視システム１は、複数の電気機器１００ａ〜１００ｄと、複数の電気機器１００ａ〜１００ｄそれぞれをネットワークＮに接続するための複数の通信アダプタ２００ａ〜２００ｄと、電気機器１００ａ〜１００ｄの稼働状況を監視する監視装置３００と、を有する。なお、図１において、一例としてそれぞれ４つの電気機器１００ａ〜１００ｄ及び通信アダプタ２００ａ〜２００ｄを図示しているが、電気機器１００ａ〜１００ｄ及び通信アダプタ２００ａ〜２００ｄの数は、これに限られない。
【００１１】
電気機器１００ａ〜１００ｄは、図示しない商用電源から電灯線を介して供給される電力により稼働する機器である。電気機器１００ａ〜１００ｄは、それぞれ、通信アダプタ２００ａ〜２００ｄに有線により通信可能に接続されている。なお、以下の説明において、電気機器１００ａ〜１００ｄを、総称して、電気機器１００と呼ぶ。
【００１２】
本実施形態において、電気機器１００は、電気機器１００の電源が常時オンの状態である「常時稼働」、及び、電気機器１００の電源が常時オンの状態でない「操作による稼働」のうちいずれかの稼働形態に分類される。ここで、電源が常時オンの状態である電気機器１００とは、一旦電源がオンされると、常時稼働し続けることで、その電気機器１００の本来の機能を実現し、ユーザの操作により頻繁に電源のオン／オフが切り替わらない機器である。具体的には、「常時稼働」に分類される電気機器１００は、例えば、冷蔵庫、防犯装置である。「操作による稼働」に分類される電気機器１００は、「常時稼働」に分類される電気機器１００以外の電気機器１００であって、例えば、空調機器、テレビである。
【００１３】
通信アダプタ２００ａ〜２００ｄは、有線または無線により、ネットワークＮに通信可能に接続されている。なお、以下の説明において、通信アダプタ２００ａ〜２００ｄを、総称して、通信アダプタ２００と呼ぶ。
【００１４】
本実施形態において、通信アダプタ２００は、対応する電気機器１００から、自身が稼働するための電力が供給される。従って、電気機器１００のオン／オフの切り替えに合わせて、通信アダプタ２００のオン／オフも切り替わる。
【００１５】
監視装置３００は、有線または無線により、ネットワークＮに通信可能に接続されている。監視装置３００は、通信アダプタ２００及びネットワークＮを介して、電気機器１００から、その電気機器１００の稼働状態を表すデータを受信し、その電気機器１００に異常があるか否かを判定する。
【００１６】
次に、本実施形態における監視装置３００の構成について詳細に説明する。
【００１７】
図２に本実施形態に係る監視装置３００のハードウェア構成の一例を示す。図２に示すように、監視装置３００は、制御部３１０と、記憶部３２０と、通信部３３０と、入力部３４０、出力部３５０と、を備え、各部はバス３６０により接続されている。
【００１８】
制御部３１０は、例えば、ＣＰＵ（Central Processing Unit）、ＣＰＵが実行するプログラムを格納するＲＯＭ（Read Only Memory）、ＣＰＵが生成したデータを一時的に格納するＲＡＭ（Random Access Memory）、現在時刻を計時するタイマから構成され、監視装置３００の全体の制御を行う。
【００１９】
記憶部３２０は、ハードディスクドライブや、フラッシュメモリ、ＳＳＤ（Solid State Drive）のような、書き込み可能な記憶装置から構成される。
【００２０】
通信部３３０は、ネットワークＮとの間でデータの送受信を行うためのインターフェースから構成される。
【００２１】
入力部３４０は、ボタン、タッチパネル、キーボード等の入力装置から構成される。入力部３４０は、ユーザからの操作入力を受け付け、受け付けた操作入力に対応する操作入力信号を制御部３１０に出力する。
【００２２】
出力部３５０は、ＣＲＴ（Cathode Ray Tube）や液晶ディスプレイ等の表示装置から構成され、制御部３１０から供給される文字や画像等のデータを表示する。
【００２３】
次に、監視装置３００の制御部３１０の機能について説明する。図３は、制御部３１０の機能構成の一例を示すブロック図である。図３に示すように、制御部３１０は取得部３１１、状態取得要求送信部３１２、判定部３１３、提示部３１４、として機能する。
【００２４】
取得部３１１は、電気機器１００の稼働形態を取得する。具体的には、取得部３１１は、入力部３４０を介して、ユーザから電気機器１００の稼働形態を表す入力を受け付ける。
【００２５】
図４に、ユーザによる電気機器１００の稼働形態の設定時における出力部３５０の画面３５１の一例を表す。図４に示す画面３５１には、電気機器１００毎にその稼働形態を選択可能な設定テーブル３５２が表示される。詳細には、設定テーブル３５２は、電気機器１００と、設置場所と、稼働形態と、が対応付けられている。例えば、ユーザが１階のリビングに設置されたエアコンの稼働形態を、「操作による稼働」に設定したい場合、ユーザは、入力部３４０を介して、設定テーブル３５２において、電気機器“エアコン”、設置場所“リビング（１Ｆ）”に対応する稼働形態として、“操作による稼働”を選択することにより、設定することができる。
【００２６】
取得部３１１は、入力部３４０を介してユーザから受け付けた電気機器１００の稼働形態を記憶部３２０の稼働形態テーブル３２１に格納する。図５に、稼働形態テーブル３２１に格納されるデータの一例を示す。図５に示す稼働形態テーブル３２１は、電気機器１００を識別するための機器ＩＤと、その機器ＩＤにより識別される電気機器１００の稼働形態とを格納する。
【００２７】
状態取得要求送信部３１２は、電気機器１００に、電気機器１００の状態の取得を要求する状態取得要求を送信する。具体的には、状態取得要求送信部３１２は、定期的に、または、ユーザからの要求に応じて、電気機器１００に状態取得要求を送信する。
【００２８】
判定部３１３は、状態取得要求送信部３１２により送信された状態取得要求に対する応答と、取得部３１１により取得された稼働形態とに基づいて、電気機器１００の状態を判定する。
【００２９】
具体的には、判定部３１３は、電気機器１００から、状態取得要求送信部３１２により送信された状態取得要求に対する応答を受信しなかった場合において、稼働形態テーブル３２１に格納された、電気機器１００の稼働形態が「常時稼働」でない場合、判定部３１３は、電気機器１００の電源がオフの状態である可能性があると判定する。
【００３０】
また、判定部３１３は、電気機器１００から、状態取得要求送信部３１２により送信された状態取得要求に対する応答を受信しなかった場合において、稼働形態テーブル３２１に格納された、電気機器１００の稼働形態が「常時稼働」である場合、判定部３１３は、電気機器１００と監視装置３００との間の通信に異常があると判定する。
【００３１】
すなわち、判定部３１３が、電気機器１００から、状態取得要求送信部３１２により送信された状態取得要求に対する応答を受信しなかった場合、その原因として、（ｉ）電気機器１００の電源がオフの状態である、（ｉｉ）電気機器１００と監視装置３００との間の通信に異常がある、の２つが考えられる。従って、判定部３１３は、電気機器１００の稼働状態が「常時稼働」である場合、上記（ｉ）が原因である可能性は低いため、電気機器１００と監視装置３００との間の通信に異常があると判定する。また、判定部３１３は、電気機器１００の稼働状態が「常時稼働」でない場合、すなわち「操作による稼働」である場合、上記（ｉ）及び（ｉｉ）の２つの原因が考えられるため、電気機器１００の電源がオフの状態である可能性があると判定する。
【００３２】
また、判定部３１３は、電気機器１００から、状態取得要求送信部３１２により送信された状態取得要求に対する応答を受信した場合において、その応答の中に電気機器１００が故障中である旨を表す故障情報を含むか否か判定する。そして、その応答が故障情報を含む場合、判定部３１３は、電気機器１００は故障中であると判定する。また、その応答が故障情報を含まない場合、判定部３１３は、電気機器１００は正常に稼働していると判定する。
【００３３】
提示部３１４は、判定部３１３により判定された電気機器１００の状態を出力部３５０に提示する。
【００３４】
図６に、電気機器１００の状態を表示する出力部３５０の画面３５１の一例を表す。図６に示す画面３５１には、電気機器１００毎に、判定部３１３により判定された電気機器１００の状態を表す判定結果テーブル３５３が表示される。詳細には、判定結果テーブル３５３は、電気機器１００と、設置場所と、判定部３１３により判定された電気機器１００の状態と、が対応付けられている。例えば、判定部３１３が２階のリビングに設置されたエアコンの状況が、電源がオフの状態である可能性があると判定した場合、提示部３１４は、判定結果テーブル３５３において、電気機器“エアコン”、設置場所“リビング（２Ｆ）”に対応する状態として、“電源がオフの可能性があります”というメッセージを提示する。
【００３５】
次に、本実施形態に係る監視システム１の動作について説明する。図７に、本実施形態に係る監視システム１のシーケンス図の一例を示す。
【００３６】
まず、監視装置３００は、ユーザからの入力により、電気機器１００の稼働形態を取得する稼働形態取得処理を実行する（Ｐ１）。そして、監視装置３００は、状態取得要求Ｒａを通信アダプタ２００に送信する。監視装置３００から状態取得要求Ｒａを受信した通信アダプタ２００は、電気機器１００に状態取得要求Ｒｂを送信する。
【００３７】
通信アダプタ２００から状態取得要求Ｒｂを受信した電気機器１００は、自身の状態を表す情報を含む状態取得応答Ａｂを、通信アダプタ２００に送信する。電気機器１００から状態取得応答Ａｂを受信した通信アダプタ２００は、監視装置３００に、状態取得応答Ａａを送信する。
【００３８】
以上の監視装置３００が状態取得要求Ｒａを送信してから、状態取得応答Ａａを受信するまでの処理、すなわち図７において鎖線で囲われる処理Ｐ２は、定期的に繰り返し実行される。
【００３９】
次に、本実施形態に係る監視装置３００の動作について説明する。
【００４０】
まず、監視装置３００が実行する稼働形態取得処理について説明する。図８は、監視装置３００の制御部３１０が実行する稼働形態取得処理のフローチャートの一例である。稼働形態取得処理は、例えば制御部３１０のＣＰＵがＲＯＭに記憶されたプログラムを読み込むことにより実行される。また、稼働形態取得処理は、例えば、ユーザから入力部３４０を介して、稼働形態取得処理の開始を示す操作入力を受け付けたことを契機として、開始される。
【００４１】
まず、取得部３１１は、出力部３５０の画面３５１に、図４に示すような設定テーブル３５２を表示する（ステップＳ１０１）。
【００４２】
次に、取得部３１１は、ユーザにより、各電気機器１００について、「常時稼働」または「操作による稼働」のうちのいずれかの稼働形態が選択されたか否かを判定する（ステップＳ１０２）。取得部３１１は、ユーザにより、各電気機器１００の稼働形態が選択されるまで、待機する（ステップＳ１０２；Ｎｏ）。
【００４３】
取得部３１１は、ユーザにより、各電気機器１００について稼働形態が選択されたと判定した場合（ステップＳ１０２；Ｙｅｓ）、電気機器１００毎に選択された稼働形態を、その電気機器１００の機器ＩＤと対応付けて、稼働形態テーブル３２１に格納する（ステップＳ１０３）。そして本処理を終了する。
【００４４】
次に、監視装置３００が実行する状態判定処理について説明する。図９は、監視装置３００の制御部３１０が実行する状態判定処理のフローチャートの一例である。状態判定処理は、例えば制御部３１０のＣＰＵがＲＯＭに記憶されたプログラムを読み込むことにより実行される。また、状態判定処理は、例えば、ユーザから入力部３４０を介して、状態判定処理の開始を示す操作入力を受け付けたことを契機として、開始される。
【００４５】
まず、状態取得要求送信部３１２は、各電気機器１００に、状態取得要求を送信する（ステップＳ２０１）。なお、本処理において、状態取得要求送信部３１２は、機器ＩＤ“ＤＥＶ＿１”〜“ＤＥＶ＿Ｎ”（Ｎは、電気機器１００の総数）の電気機器１００に状態取得要求を送信するものとする。
【００４６】
次に、判定部３１３は、カウンタｎを初期値「１」に設定する（ステップＳ２０２）。
【００４７】
次に、判定部３１３は、機器ＩＤ“ＤＥＶ＿ｎ”の電気機器１００から状態取得応答を受信したか否かを判定する（ステップＳ２０３）。具体的には、判定部３１３は、ステップＳ２０１において電気機器１００に状態取得要求を送信してから、ユーザ等により予め設定された時間内にその電気機器１００から状態取得応答を受信したか否かを判定する。
【００４８】
判定部３１３は、機器ＩＤ“ＤＥＶ＿ｎ”の電気機器１００から状態取得応答を受信したと判定した場合（ステップＳ２０３；Ｙｅｓ）、受信した状態取得応答に、機器ＩＤ“ＤＥＶ＿ｎ”の電気機器１００が故障中である旨の故障情報が含まれているか否かを判定する（ステップＳ２０４）。
【００４９】
判定部３１３は、受信した状態取得応答に、故障情報が含まれていると判定した場合（ステップＳ２０４；Ｙｅｓ）、判定部３１３は、機器ＩＤ“ＤＥＶ＿ｎ”の電気機器１００が故障中であると判定する（ステップＳ２０５）。そして、判定部３１３は、機器ＩＤ“ＤＥＶ＿ｎ”を、故障中である旨の判定結果と対応付けてＲＡＭに記録する。そして、判定部３１３は、ステップＳ２１０の処理に進む。
【００５０】
判定部３１３は、受信した状態取得応答に、故障情報が含まれていないと判定した場合（ステップＳ２０４；Ｎｏ）、判定部３１３は、機器ＩＤ“ＤＥＶ＿ｎ”の電気機器１００が正常に稼働していると判定する（ステップＳ２０６）。そして、判定部３１３は、機器ＩＤ“ＤＥＶ＿ｎ”を、正常に稼働している旨の判定結果と対応付けてＲＡＭに記録する。そして、判定部３１３は、ステップＳ２１０の処理に進む。
【００５１】
判定部３１３は、機器ＩＤ“ＤＥＶ＿ｎ”の電気機器１００から状態取得応答を受信していないと判定した場合（ステップＳ２０３；Ｎｏ）、稼働形態テーブル３２１を参照し、機器ＩＤ“ＤＥＶ＿ｎ”に対応する稼働形態が“常時稼働”か否かを判定する（ステップＳ２０７）。
【００５２】
判定部３１３は、機器ＩＤ“ＤＥＶ＿ｎ”に対応する稼働形態が“常時稼働”であると判定した場合（ステップＳ２０７；Ｙｅｓ）、判定部３１３は、機器ＩＤ“ＤＥＶ＿ｎ”の電気機器１００と監視装置３００との間に通信異常があると判定する（ステップＳ２０８）。そして、判定部３１３は、機器ＩＤ“ＤＥＶ＿ｎ”を、通信異常がある旨の判定結果と対応付けてＲＡＭに記録する。そして、判定部３１３は、ステップＳ２１０の処理に進む。
【００５３】
判定部３１３は、機器ＩＤ“ＤＥＶ＿ｎ”に対応する稼働形態が“常時稼働”でないと判定した場合（ステップＳ２０７；Ｎｏ）、判定部３１３は、機器ＩＤ“ＤＥＶ＿ｎ”の電気機器１００の電源がオフの可能性があると判定する（ステップＳ２０９）。そして、判定部３１３は、機器ＩＤ“ＤＥＶ＿ｎ”を、電源オフの可能性がある旨の判定結果と対応付けてＲＡＭに記録する。そして、判定部３１３は、ステップＳ２１０の処理に進む。
【００５４】
次に、判定部３１３は、カウンタｎをインクリメントし（ステップＳ２１０）、カウンタｎが電気機器１００の総数Ｎよりも小さいか否かを判定する（ステップＳ２１１）。
【００５５】
カウンタｎがＮよりも小さいと判定した場合（ステップＳ２１１；Ｙｅｓ）、判定部３１３は、ステップＳ２０３に戻ってその後の処理を繰り返す。
【００５６】
また、カウンタｎがＮよりも小さくないと判定した場合（ステップＳ２１１；Ｎｏ）、提示部３１４は、ＲＡＭに記録された各機器ＩＤと、その判定結果とに基づいて、判定結果テーブル３５３を生成し、出力部３５０の画面３５１に表示する（ステップＳ２１２）。
【００５７】
次に、判定部３１３は、ステップＳ２０１において電気機器１００に状態取得要求を送信してから、処理周期が経過したか否かを判定する（ステップＳ２１３）。なお、この「処理周期」は、図８に示す処理Ｐ２が定期的に繰り返される際の、各処理Ｐ２の間の時間間隔である。判定部３１３は、処理周期が経過するまで待機する（ステップＳ２１３；Ｎｏ）。また、判定部３１３は、処理周期が経過したと判定した場合（ステップＳ２１３；Ｙｅｓ）、ステップＳ２０１に戻ってその後の処理を繰り返す。
【００５８】
以上説明したように、本実施形態の監視装置３００は、電気機器１００からの状態取得応答の受信の有無と、ユーザにより設定された電気機器１００の稼働形態と、に基づいて、電気機器１００の状態を判定する。そのため、電気機器１００の状態の取得要求に対して電気機器１００が応答しない場合であっても、その原因が通信異常によるものか、または、電気機器１００の電源がオフのため、通信ができなかったことによるものか、判定することができる。従って、監視装置３００は、より精度良く、電気機器１００の状態を判定することができる。
【００５９】
（実施形態２）
次に、本発明の実施形態２に係る監視システム１について説明する。上記の実施形態１において、監視装置３００は、ユーザからの入力により、各電気機器１００の稼働形態を取得する。本実施形態２では、稼働形態の取得方法の別の例として、通信アダプタ２００から、電気機器１００の稼働形態を取得する例について説明する。なお、実施形態１と同様の構成については、同様の符号を用い、その詳細な説明を省略する。
【００６０】
図１０に本実施形態に係る通信アダプタ２００の構成の一例を示す。図１０に示すように、通信アダプタ２００は、制御部２１０と、記憶部２２０と、第１通信部２３０と、第２通信部２４０とを備える。
【００６１】
制御部２１０は、例えば、ＣＰＵ、ＣＰＵが実行するプログラムを格納するＲＯＭ、ＣＰＵが生成したデータを一時的に格納するＲＡＭ、現在時刻を計時するタイマから構成され、通信アダプタ２００の全体の制御を行う。
【００６２】
記憶部２２０は、ハードディスクドライブや、フラッシュメモリ、ＳＳＤのような、書き込み可能な記憶装置から構成される。具体的には、記憶部２２０は、電気機器１００と稼働形態とを対応付ける対応テーブル２２１を記憶する。
【００６３】
第１通信部２３０は、電気機器１００との間でデータの送受信を行うためのインターフェースから構成される。
【００６４】
第２通信部２４０は、ネットワークＮとの間でデータの送受信を行うためのインターフェースから構成される。
【００６５】
次に、通信アダプタ２００の制御部２１０の機能について説明する。図１０は、制御部２１０の機能構成の一例を示すブロック図である。図１０に示すように、制御部２１０は特定部２１１、稼働形態送信部２１２、として機能する。
【００６６】
特定部２１１は、通信アダプタ２００が接続された電気機器１００から、その電気機器１００の機器ＩＤを受信し、対応テーブル２２１を参照して、受信した機器ＩＤに対応する稼働形態を特定する。
【００６７】
具体的には、特定部２１１は、電気機器１００の電源がオンの状態になり、通信アダプタ２００に電気機器１００から電力が供給されたことを契機として、電気機器１００から、その電気機器１００の機器ＩＤを受信する。または、特定部２１１は、定期的に、電気機器１００から、その電気機器１００の機器ＩＤを受信してもよい。
【００６８】
稼働形態送信部２１２は、特定部２１１により特定された稼働形態を、受信した機器ＩＤと対応付けて監視装置３００に送信する。
【００６９】
なお、通信アダプタ２００と監視装置３００との間の通信プロトコルとして、ＥＣＨＯＮＥＴ  Ｌｉｔｅを採用することができる。この場合、稼働形態送信部２１２は、監視装置３００に送信する通信電文において、ＥＳＶ（ＥＣＨＯＮＥＴ  Ｌｉｔｅサービス）に、ＩＮＦ（プロパティ値を通知するＩＮＦ）を設定し、ＥＰＣ（ＥＣＨＯＮＥＴプロパティ）のユーザ定義領域に、「稼働形態」を割り当て、「常時稼働」または「操作による稼働」を示す値を設定することができる。稼働形態送信部２１２は、以上のように設定された通信電文を監視装置３００に送信することにより、監視装置３００に、通信アダプタ２００に接続された電気機器１００の稼働形態を通知することができる。
【００７０】
次に、監視装置３００の制御部３１０の機能について説明する。図１１に示すように、制御部３１０は、図３に示す実施形態１の取得部３１１に代えて、取得部３１１ａとして機能する。
【００７１】
取得部３１１ａは、通信アダプタ２００から電気機器１００の稼働形態を取得する。具体的には、取得部３１１ａは、通信アダプタ２００の稼働形態送信部２１２より送信されたデータに含まれる、稼働形態と、機器ＩＤと、を記憶部３２０の稼働形態テーブル３２１に格納する。
【００７２】
以上説明したように、本実施形態の監視システム１において、通信アダプタ２００が、自身に接続された電気機器１００の情報から、その電気機器１００の稼働形態を特定する。そして、通信アダプタ２００は、特定した稼働形態を、監視装置３００に通知する。従って、ユーザ自身が、電気機器１００毎に、その稼働形態を設定する手間を省くことができる。
【００７３】
（実施形態３）
次に、本発明の実施形態３に係る監視システム１について説明する。本実施形態３では、上記実施形態１及び２とは異なる稼働形態の取得方法の例として、状態取得要求に対する応答の有無が変化した頻度に基づいて、電気機器１００の稼働形態を取得する例について説明する。なお、実施形態１及び２と同様の構成については、同様の符号を用い、その詳細な説明を省略する。
【００７４】
本実施形態における監視装置３００の制御部３１０の機能について説明する。図１２は、制御部３１０の機能構成の一例を示すブロック図である。図１２に示すように、制御部３１０は、図３に示す実施形態１の取得部３１１及び判定部３１３に代えて、それぞれ取得部３１１ｂ及び判定部３１３ｂとして機能する。
【００７５】
取得部３１１ｂは、状態取得要求送信部３１２により送信された状態取得要求に対する応答の有無が変化した頻度を算出し、算出した頻度が予め定められた閾値よりも小さい場合、電気機器１００の稼働状態として「常時稼働」を取得する。また、取得部３１１ｂは、算出した頻度が閾値以上である場合、電気機器１００の稼働状態として「操作による稼働」を取得する。ここで、閾値は、例えば、１年に１度、１ヵ月に１度である。
【００７６】
判定部３１３ｂは、電気機器１００から、状態取得要求送信部３１２により送信された状態取得要求に対する応答を受信しなかった場合において、取得部３１１ｂにより取得された電気機器１００の稼働形態が「常時稼働」でない場合、判定部３１３は、電気機器１００の電源がオフの状態である可能性があると判定する。
【００７７】
また、判定部３１３ｂは、電気機器１００から、状態取得要求送信部３１２により送信された状態取得要求に対する応答を受信しなかった場合において、取得部３１１ｂにより取得された電気機器１００の稼働形態が「常時稼働」である場合、判定部３１３は、電気機器１００と監視装置３００との間の通信に異常があると判定する。
【００７８】
次に、監視装置３００が実行する状態判定処理について説明する。図１３は、監視装置３００の制御部３１０が実行する状態判定処理のフローチャートの一例である。状態判定処理は、例えば制御部３１０のＣＰＵがＲＯＭに記憶されたプログラムを読み込むことにより実行される。また、状態判定処理は、例えば、ユーザから入力部３４０を介して、状態判定処理の開始を示す操作入力を受け付けたことを契機として、開始される。
【００７９】
まず、ステップＳ３０１〜Ｓ３０３において、図９に示す実施形態１の状態判定処理のステップＳ２０１〜２０３と同様の処理が実行される。
【００８０】
判定部３１３ｂは、機器ＩＤ“ＤＥＶ＿ｎ”の電気機器１００から状態取得応答を受信したと判定した場合（ステップＳ３０３；Ｙｅｓ）、取得部３１１ｂは、機器ＩＤ“ＤＥＶ＿ｎ”の電気機器１００へ前回送信した状態取得要求に対して、その電気機器１００から状態取得応答を受信したか否かを判定する（ステップＳ３０４）。取得部３１１ｂは、状態取得応答を受信したと判定した場合（ステップＳ３０４；Ｙｅｓ）、判定部３１３ｂは、ステップＳ３０６の処理に進む。
【００８１】
取得部３１１ｂは、状態取得応答を受信しなかったと判定した場合（ステップＳ３０４；Ｎｏ）、カウンタｍ＿ｎをインクリメントする（ステップＳ３０５）。ここで、カウンタｍ＿ｎは、単位期間（例えば、１年間）のうちで、判定部３１３ｂが機器ＩＤ“ＤＥＶ＿ｎ”の電気機器１００から状態取得応答を受信しなかった状態から、受信した状態に変化した回数をカウントするためのカウンタである。すなわち、カウンタｍ＿ｎは、機器ＩＤ“ＤＥＶ＿ｎ”の電気機器１００について、状態取得要求送信部３１２により送信された状態取得要求に対する応答の有無が変化した頻度を表す。なお、カウンタｍ＿ｎは、単位期間毎にクリアされ、０に戻る。
【００８２】
そして、ステップＳ３０６〜Ｓ３０８において、図９に示す実施形態１の状態判定処理のステップＳ２０４〜２０６と同様の処理が実行される。
【００８３】
判定部３１３ｂは、機器ＩＤ“ＤＥＶ＿ｎ”の電気機器１００から状態取得応答を受信していないと判定した場合（ステップＳ３０３；Ｎｏ）、取得部３１１ｂは、カウンタｍ＿ｎが閾値Ｔｈ（例えば、１）よりも小さいか否かを判定する（ステップＳ３０９）。
【００８４】
取得部３１１ｂは、カウンタｍ＿ｎが閾値Ｔｈよりも小さいと判定した場合（ステップＳ３０９；Ｙｅｓ）、すなわち、取得部３１１ｂが、機器ＩＤ“ＤＥＶ＿ｎ”に対応する稼働形態が「常時稼働」であると判定した場合、判定部３１３ｂは、機器ＩＤ“ＤＥＶ＿ｎ”の電気機器１００と監視装置３００との間に通信異常があると判定する（ステップＳ３１０）。そして、判定部３１３ｂは、機器ＩＤ“ＤＥＶ＿ｎ”を、通信異常がある旨の判定結果と対応付けてＲＡＭに記録する。そして、判定部３１３ｂは、ステップＳ３１２の処理に進む。
【００８５】
取得部３１１ｂは、カウンタｍ＿ｎが閾値Ｔｈ以上であると判定した場合（ステップＳ３０９；Ｎｏ）、すなわち、取得部３１１ｂが、機器ＩＤ“ＤＥＶ＿ｎ”に対応する稼働形態が「操作による稼働」であると判定した場合、判定部３１３ｂは、機器ＩＤ“ＤＥＶ＿ｎ”の電気機器１００の電源がオフの可能性があると判定する（ステップＳ３１１）。そして、判定部３１３ｂは、機器ＩＤ“ＤＥＶ＿ｎ”を、電源オフの可能性がある旨の判定結果と対応付けてＲＡＭに記録する。そして、判定部３１３ｂは、ステップＳ３１２の処理に進む。
【００８６】
そして、ステップＳ３１２〜Ｓ３１５において、図９に示す実施形態１の状態判定処理のステップＳ２１０〜２１３と同様の処理が実行される。
【００８７】
以上説明したように、本実施形態の監視システム１において、監視装置３００は、状態取得要求に対する応答の有無が変化した頻度に基づいて、電気機器１００の稼働形態を取得することができる。従って、電気機器１００毎に、その稼働形態を、通信アダプタ２００または監視装置３００に予め設定する手間を省くことができる。
【００８８】
（実施形態４）
次に、本発明の実施形態４に係る監視システム１について説明する。上記の実施形態１乃至３において、監視装置３００は、電気機器１００からの、状態取得要求に対する応答の有無と、電気機器１００の稼働形態と、に基づいて、電気機器１００の状態を判定する。本実施形態４では、監視装置３００は、さらに、電気機器１００の電源のオン／オフの変化に基づいて、電気機器１００の状態を判定する例について説明する。なお、実施形態１乃至３と同様の構成については、同様の符号を用い、その詳細な説明を省略する。
【００８９】
図１４は、本発明の実施形態４に係る監視システム１の構成例を示す概略ブロック図である。図１４に示す監視システム１は、電気機器１００ａ〜１００ｄのうち、電気機器１００ａ，１００ｂは、第１通信アダプタ４００ａ，４００ｂにそれぞれ接続され、電気機器１００ｃ，１００ｄは、第２通信アダプタ５００ａ，５００ｂにそれぞれ接続される点において、図１に示す実施形態１乃至３に係る監視システム１と異なる。
【００９０】
第１通信アダプタ４００ａ，４００ｂは、実施形態１乃至３のうちのいずれかの通信アダプタ２００ａ〜２００ｂと同様に構成されている。なお、以下の説明において、通信アダプタ４００ａ，４００ｂを、総称して、第１通信アダプタ４００と呼ぶ。
【００９１】
第２通信アダプタ５００ａ，５００ｂは、有線または無線により、ネットワークＮに通信可能に接続されている。なお、以下の説明において、通信アダプタ５００ａ，５００ｂを、総称して、第２通信アダプタ５００と呼ぶ。
【００９２】
図１５に本実施形態に係る第２通信アダプタ５００の構成の一例を示す。図１５に示すように、第２通信アダプタ５００は、制御部５１０と、記憶部５２０と、第１通信部５３０と、第２通信部５４０と、電力蓄積部５５０と、を備える。
【００９３】
制御部５１０は、例えば、ＣＰＵ、ＣＰＵが実行するプログラムを格納するＲＯＭ、ＣＰＵが生成したデータを一時的に格納するＲＡＭ、現在時刻を計時するタイマから構成され、第２通信アダプタ５００の全体の制御を行う。
【００９４】
記憶部５２０は、ハードディスクドライブや、フラッシュメモリ、ＳＳＤのような、書き込み可能な記憶装置から構成される。
【００９５】
第１通信部５３０は、電気機器１００ｃ，１００ｄとの間でデータの送受信を行うためのインターフェースから構成される。
【００９６】
第２通信部５４０は、ネットワークＮとの間でデータの送受信を行うためのインターフェースから構成される。
【００９７】
電力蓄積部５５０は、第２通信アダプタ５００に接続された電気機器１００ｃ，１００ｄからの電源の供給が止まった場合に、第２通信アダプタ５００を構成する各部の電源として機能する。電力蓄積部５５０は、例えば小容量の電池から構成される。
【００９８】
次に、第２通信アダプタ５００の制御部５１０の機能について説明する。図１５に示すように、制御部５１０は検知部５１１、通知部５１２、として機能する。
【００９９】
検知部５１１は、第２通信アダプタ５００が接続された電気機器１００ｃ，１００ｄから供給される電力を検知する。
【０１００】
通知部５１２は、検知部５１１により検知された電力の有無が変化した場合、監視装置３００に、第２通信アダプタ５００が接続された電気機器１００ｃ，１００ｄの電源状態が変化した旨を通知する。具体的には、電気機器１００ｃ，１００ｄの電源がオフされたことにより、電気機器１００ｃ，１００ｄから第２通信アダプタへの電源の供給が止まった場合、検知部５１１により検知される電力が無くなるため、通知部５１２は、電気機器１００ｃ，１００ｄの電源がオンからオフに変化した旨を通知する。また、電気機器１００ｃ，１００ｄの電源がオンされたことにより、電気機器１００ｃ，１００ｄから第２通信アダプタ５００への電源の供給が開始された場合、検知部５１１により検知される電力が増えるため、通知部５１２は、電気機器１００ｃ，１００ｄの電源がオフからオンに変化した旨を通知する。
【０１０１】
次に、監視装置３００の制御部３１０の機能について説明する。図１６は、制御部３１０の機能構成の一例を示す概略ブロック図である。図１６に示すように、制御部３１０は、図３に示す実施形態１の判定部３１１に代えて、第１判定部３１５、第２判定部３１６として機能する。
【０１０２】
第１判定部３１５は、第１通信アダプタ４００と接続された電気機器１００ａ，１００ｂの状態の判定において、実施形態１の判定部３１１と同様に機能する。
【０１０３】
第２判定部３１６は、第２通信アダプタ５００から受信した通知に基づいて、電気機器１００ｃ，１００ｄの電源状態を表すフラグを更新し、電気機器１００ｃ，１００ｄから、状態取得要求送信部３１２により送信された状態取得要求に対する応答と、フラグと、に基づいて、電気機器１００ｃ，１００ｄの状態を判定する。
【０１０４】
例えば、第２判定部３１６は、電気機器１００ｃから、状態取得要求送信部３１２により送信された状態取得要求に対する応答を受信しなかった場合において、電気機器１００ｃの電源状態を表すフラグが「電源オフ」を表す場合、第２判定部３１６は、電気機器１００ｃの電源がオフの状態であると判定する。
【０１０５】
また、第２判定部３１６は、電気機器１００ｃから、状態取得要求送信部３１２により送信された状態取得要求に対する応答を受信しなかった場合において、電気機器１００ｃの電源状態を表すフラグが「電源オン」を表す場合、第２判定部３１６は、電気機器１００と監視装置３００との間の通信に異常があると判定する。
【０１０６】
また、第２判定部３１６は、電気機器１００ｃ，１００ｄから、状態取得要求送信部３１２により送信された状態取得要求に対する応答を受信した場合において、第１判定部３１５と同様に電気機器１００ｃ，１００ｄの状態を判定する。
【０１０７】
次に、監視装置３００が実行する状態判定処理について説明する。図１７は、監視装置３００の制御部３１０が実行する状態判定処理のフローチャートの一例である。なお、以下で説明する図１７に示す状態判定処理において、監視装置３００は、第２通信アダプタ５００に接続された電気機器１００ｃ，１００ｄの状態を判定する。また、本実施形態において、監視装置３００は、図９に示す実施形態１の状態判定処理と同様の処理により、第１通信アダプタ４００に接続された電気機器１００ａ，１００ｂの状態を判定する。
【０１０８】
図１７に示す状態判定処理は、例えば制御部３１０のＣＰＵがＲＯＭに記憶されたプログラムを読み込むことにより実行される。また、状態判定処理は、例えば、ユーザから入力部３４０を介して、状態判定処理の開始を示す操作入力を受け付けたことを契機として、開始される。なお、以下の説明において、電気機器１００ｃ，１００ｄの機器ＩＤは、それぞれ“ＤＥＶ＿１”及び“ＤＥＶ＿２”であるとする。
【０１０９】
まず、第２判定部３１６は、第２通信アダプタ５００から、電気機器１００ｃ，１００ｄの電源状態が変化した旨の通知を受信したか否か判定する（ステップＳ４０１）。第２通信アダプタ５００から通知を受信していないと判定した場合（ステップＳ４０１；Ｎｏ）、第２判定部３１６は、ステップＳ４０５の処理に進む。
【０１１０】
第２通信アダプタ５００から通知を受信したと判定した場合（ステップＳ４０１；Ｙｅｓ）、第２判定部３１６は、受信した通知が、電源オンを表すか否かを判定する（ステップＳ４０２）。
【０１１１】
受信した通知が電源オンを表すと判定した場合（ステップＳ４０２；Ｙｅｓ）、第２判定部３１６は、その通知を送信した第２通信アダプタ５００に接続された電気機器１００ｃ，１００ｄに対応するフラグを、“電源オン”を表す値に更新する（ステップＳ４０３）。そして、第２判定部３１６は、ステップＳ４０５の処理に進む。
【０１１２】
受信した通知が電源オンを表さないと判定した場合（ステップＳ４０２；Ｎｏ）、第２判定部３１６は、その通知を送信した第２通信アダプタ５００に接続された電気機器１００ｃ，１００ｄに対応するフラグを、“電源オフ”を表す値に更新する（ステップＳ４０４）。そして、第２判定部３１６は、ステップＳ４０５の処理に進む。
【０１１３】
次に、ステップＳ４０５〜Ｓ４１０において、図９に示す実施形態１の状態判定処理のステップＳ２０１〜２０６と同様の処理が実行される。
【０１１４】
第２判定部３１６は、機器ＩＤ“ＤＥＶ＿ｎ”の電気機器１００ｃ，１００ｄから状態取得応答を受信していないと判定した場合（ステップＳ４０７；Ｎｏ）、機器ＩＤ“ＤＥＶ＿ｎ”に対応するフラグが“電源オン”を表すか否かを判定する（ステップＳ４１１）。
【０１１５】
第２判定部３１６は、機器ＩＤ“ＤＥＶ＿ｎ”に対応するフラグが“電源オン”を表すと判定した場合（ステップＳ４１１；Ｙｅｓ）、第２判定部３１６は、機器ＩＤ“ＤＥＶ＿ｎ”の電気機器１００と監視装置３００との間に通信異常があると判定する（ステップＳ４１２）。そして、第２判定部３１６は、機器ＩＤ“ＤＥＶ＿ｎ”を、通信異常がある旨の判定結果と対応付けてＲＡＭに記録する。そして、第２判定部３１６は、ステップＳ４１４の処理に進む。
【０１１６】
第２判定部３１６は、機器ＩＤ“ＤＥＶ＿ｎ”に対応するフラグが“電源オン”でないと判定した場合（ステップＳ４１１；Ｎｏ）、第２判定部３１６は、機器ＩＤ“ＤＥＶ＿ｎ”の電気機器１００の電源がオフであると判定する（ステップＳ４１３）。そして、第２判定部３１６は、機器ＩＤ“ＤＥＶ＿ｎ”を、電源オフの可能性がある旨の判定結果と対応付けてＲＡＭに記録する。そして、第２判定部３１６は、ステップＳ４１４の処理に進む。
【０１１７】
次に、ステップＳ４１４〜Ｓ４１７において、図９に示す実施形態１の状態判定処理のステップＳ２１０〜２１３と同様の処理が実行される。
【０１１８】
以上説明したように、本実施形態の監視装置３００は、第２通信アダプタ５００から、電気機器１００ｃ，１００ｄの電源状態が変化した旨の通知を受信することにより、電気機器１００ｃ，１００ｄの電源状態を正確に判定することができる。そのため、電気機器１００ｃ，１００ｄの状態の取得要求に対して電気機器１００ｃ，１００ｄが応答しない場合に、電気機器１００の電源がオフのため、通信ができなかったことが原因なのか否かを正確に判定することができる。
【０１１９】
（実施形態５）
次に、本発明の実施形態５に係る監視システム１について説明する。上記の実施形態４において、監視装置３００は、第２通信アダプタ５００から、電気機器１００ｃ，１００ｄの電源状態が変化した旨の通知を受信する。本実施形態５では、監視装置３００が、電気機器１００ｃ，１００ｄの電源状態の変化を取得する別の例について説明する。なお、実施形態１乃至４と同様の構成については、同様の符号を用い、その詳細な説明を省略する。
【０１２０】
図１８は、本発明の実施形態５に係る監視システム１の構成例を示す概略ブロック図である。図１８に示す監視システム１は、さらに電源検知装置６００ａ，６００ｂを有する点において、図１に示す実施形態１に係る監視システム１と異なる。
【０１２１】
電源検知装置６００ａ，６００ｂは、それぞれ、電灯線から電気機器１００ｃ，１００ｄに供給される電流を検知する。電源検知装置６００ａ，６００ｂは、有線または無線により、ネットワークＮに通信可能に接続されている。なお、以下の説明において、電源検知装置６００ａ，６００ｂを、総称して、電源検知装置６００と呼ぶ。
【０１２２】
図１９に本実施形態に係る電源検知装置６００の構成の一例を示す。図１９に示すように、電源検知装置６００は、制御部６１０と、記憶部６２０と、通信部６３０と、センサ部６４０と、を備える。
【０１２３】
制御部６１０は、例えば、ＣＰＵ、ＣＰＵが実行するプログラムを格納するＲＯＭ、ＣＰＵが生成したデータを一時的に格納するＲＡＭ、現在時刻を計時するタイマから構成され、電源検知装置６００の全体の制御を行う。
【０１２４】
記憶部６２０は、ハードディスクドライブや、フラッシュメモリ、ＳＳＤのような、書き込み可能な記憶装置から構成される。
【０１２５】
通信部６３０は、ネットワークＮとの間でデータの送受信を行うためのインターフェースから構成される。
【０１２６】
センサ部６４０は、電灯線から電気機器１００ｃ，１００ｄに供給される電流を検出する電流センサから構成される。
【０１２７】
次に、電源検知装置６００の制御部６１０の機能について説明する。図１９に示すように、制御部６１０は検知部６１１、通知部６１２、として機能する。
【０１２８】
検知部６１１は、センサ部６４０により、電灯線から電気機器１００ｃ，１００ｄに供給される電流を検知する。
【０１２９】
通知部６１２は、検知部６１１により検知された電流の波形が、電源状態の変化を表す波形パターンとマッチする場合、監視装置３００に、電源検知装置６００に対応付けられる電気機器６００ｃ，６００ｄの電源状態が変化した旨を通知する。具体的には、波形パターンとして、電源検知装置６００に対応付けられる電気機器１００ｃ，１００ｄの電源をオフまたはオンにした時に、検知部６１１が検知した電流の波形がそれぞれ、予め記憶部６２０の波形パターンテーブル６２１に格納されている。通知部６１２は、検知部６１１により検知された電流の波形が、波形パターンテーブル６２１に格納された、電源オフ時の波形パターンとマッチする場合、監視装置３００に、電源検知装置６００に対応付けられる電気機器１００ｃ，１００ｄの電源がオンからオフに変化した旨を通知する。また、検知部６１１により検知された電流の波形が、波形パターンテーブル６２１に格納された、電源オン時の波形パターンとマッチする場合、通知部６１２は、監視装置３００に、電源検知装置６００に対応付けられる電気機器１００ｃ，１００ｄの電源がオフからオンに変化した旨を通知する。
【０１３０】
上記の構成において、本実施形態に係る監視装置３００の第２判定部３１６は、実施形態４の第２通信アダプタ５００から受信した通知の代わりに、電源検知装置６００から受信した通知に基づいて、電気機器１００ｃ，１００ｄの電源状態を表すフラグを更新し、電気機器１００ｃ，１００ｄから、状態取得要求送信部３１２により送信された状態取得要求に対する応答と、フラグと、に基づいて、電気機器１００ｃ，１００ｄの状態を判定する。従って、本実施形態に係る監視装置３００は、実施形態４と同様に、電気機器１００ｃ，１００ｄの電源状態を正確に判定することができる。そのため、電気機器１００ｃ，１００ｄの状態の取得要求に対して電気機器１００ｃ，１００ｄが応答しない場合に、電気機器１００の電源がオフのため、通信ができなかったことが原因なのか否かを正確に判定することができる。
【０１３１】
また、本実施形態では、電気機器１００が通信アダプタ２００を介してネットワークＮに通信可能に接続されている例について説明した。しかし、例えば、電気機器１００が通信アダプタ２００と接続するためのインターフェースを持たず、通信アダプタ２００を介さずにネットワークＮに接続されている場合、電源検知装置６００を用いることにより、その電気機器１００の電源状態の変化を、監視装置３００に通知することができる。
【０１３２】
なお、上記実施の形態において、監視装置３００が実行するプログラムは、フレキシブルディスク、ＣＤ−ＲＯＭ（Compact Disk Read-Only Memory）、ＤＶＤ（Digital Versatile Disk）、ＭＯ（Magneto-Optical Disk）等のコンピュータ読み取り可能な記録媒体に格納されて配布されてもよい。そして、そのプログラムがパーソナルコンピュータ等の情報処理装置にインストールされることにより、上述の処理を実行する装置が構成されてもよい。
【０１３３】
また、プログラムは、インターネット等の通信ネットワーク上のサーバ装置が有するディスク装置等に格納されてもよい。そして、プログラムは、例えば、搬送波に重畳されて、ダウンロードされてもよい。
【０１３４】
また、上述の機能を、ＯＳ（Operating System）が分担して実現する場合またはＯＳとアプリケーションとの協働により実現する場合、ＯＳの機能を実現する部分以外のプログラムのみが、記録媒体に格納されて配布されてもよく、また、ダウンロードされてもよい。
【０１３５】
本発明は、本発明の広義の精神と範囲に逸脱することなく、様々な実施の形態及び変形が可能とされるものである。また、上述した実施形態は、本発明を説明するためのものであり、本発明の範囲を限定するものではない。つまり、本発明の範囲は、実施の形態ではなく、特許請求の範囲によって示される。そして、特許請求の範囲内及びそれと同等の発明の意義の範囲内で施される様々な変形が、本発明の範囲内とみなされる。
【産業上の利用可能性】
【０１３６】
本発明は、電気機器の稼働状態を監視する監視システムに適する。
【符号の説明】
【０１３７】
１  監視システム、１００（１００ａ〜１００ｄ）  電気機器、２００（２００ａ〜２００ｄ）  通信アダプタ、２１０  制御部、１２０  記憶部、１２１  グループ構成情報、１２２  グループ運転情報、１２３  グループ運用情報、１３０  通信部、１４０  バス、２００  情報管理装置、２１０  制御部、２１１  特定部、２１２  稼働形態送信部、２２０  記憶部、２２１  対応テーブル、２３０  第１通信部、２４０  第２通信部、３００  監視装置、３１０  制御部、３１１，３１１ａ，３１１ｂ  取得部、３１２  状態取得要求送信部、３１３，３１３ｂ  判定部、３１４  提示部、３１５  第１判定部、３１６  第２判定部、３２０  記憶部、３２１  稼働形態テーブル、３３０  通信部、３４０  入力部、３５０  出力部、３５１  画面、３５２  設定テーブル、３５３  判定結果テーブル、３６０  バス、４００（４００ａ，４００ｂ）  第１通信アダプタ、５００（５００ａ，５００ｂ）  第２通信アダプタ、５１０  制御部、５１１  検知部、５１２  通知部、５２０  記憶部、５３０  第１通信部、５４０  第２通信部、５５０  電力蓄積部、６００（６００ａ，６００ｂ）  電源検知装置、６１０  制御部、６１１  検知部、６１２  通知部、６２０  記憶部、６２１  波形パターンテーブル、６３０  通信部、６４０  センサ部
【図１】
2015071972.tif 000003
【図２】
2015071972.tif 000004
【図３】
2015071972.tif 000005
【図４】
2015071972.tif 000006
【図５】
2015071972.tif 000007
【図６】
2015071972.tif 000008
【図７】
2015071972.tif 000009
【図８】
2015071972.tif 000010
【図９】
2015071972.tif 000011
【図１０】
2015071972.tif 000012
【図１１】
2015071972.tif 000013
【図１２】
2015071972.tif 000014
【図１３】
2015071972.tif 000015
【図１４】
2015071972.tif 000016
【図１５】
2015071972.tif 000017
【図１６】
2015071972.tif 000018
【図１７】
2015071972.tif 000019
【図１８】
2015071972.tif 000020
【図１９】
2015071972.tif 000021
【手続補正書】
【提出日】平成27年12月2日(2015.12.2)
【手続補正２】
【補正対象書類名】明細書
【補正対象項目名】０００１
【補正方法】変更
【補正の内容】
【０００１】
本発明は、電気機器の稼働状態を監視する監視システム、通信アダプタ、監視方法、及びプログラムに関する。
【手続補正３】
【補正対象書類名】明細書
【補正対象項目名】０００５
【補正方法】変更
【補正の内容】
【０００５】
本発明は、上記実情に鑑みてなされたものであり、電気機器の稼働状態を精度良く監視可能な監視システム、通信アダプタ、監視方法、及びプログラムを提供することを目的とする。
【手続補正４】
【補正対象書類名】明細書
【補正対象項目名】０００６
【補正方法】変更
【補正の内容】
【０００６】
上記目的を達成するため、本発明に係る監視システムは、電気機器と通信可能に接続された第１通信アダプタと、該第１通信アダプタを介して該電気機器と通信可能に接続され、該電気機器の状態を監視する監視装置と、を有する。前記監視装置の取得部は、前記電気機器の電源が常時オンの状態であるか否かを表す稼働形態を取得する。前記監視装置の状態取得要求送信部は、前記電気機器に、該電気機器の状態の取得を要求する状態取得要求を送信する。前記監視装置の判定部は、前記状態取得要求送信部により送信された状態取得要求に対する応答と、前記取得部により取得された稼働形態と、に基づいて、前記電気機器の状態を判定する。前記第１通信アダプタは、前記電気機器毎に、該電気機器の稼働形態を対応付けて記憶する記憶部と、前記記憶部から、前記電気機器に対応する稼働形態を特定する特定部と、前記特定部により特定された稼働形態を前記監視装置に送信する稼働形態送信部と、を備える。前記取得部は、前記稼働形態送信部から、前記電気機器の稼働形態を取得する。
【手続補正５】
【補正対象書類名】特許請求の範囲
【補正対象項目名】全文
【補正方法】変更
【補正の内容】
【特許請求の範囲】
【請求項１】
電気機器と通信可能に接続された第１通信アダプタと、該第１通信アダプタを介して該電気機器と通信可能に接続され、該電気機器の状態を監視する監視装置と、を有する監視システムであって、
前記監視装置は、
前記電気機器の電源が常時オンの状態であるか否かを表す稼働形態を取得する取得部と、
前記電気機器に、該電気機器の状態の取得を要求する状態取得要求を送信する状態取得要求送信部と、
前記状態取得要求送信部により送信された状態取得要求に対する応答と、前記取得部により取得された稼働形態と、に基づいて、前記電気機器の状態を判定する第１判定部と、を備え、
前記第１通信アダプタは、
電気機器毎に、該電気機器の稼働形態を対応付けて記憶する記憶部と、
前記記憶部から、前記電気機器に対応する稼働形態を特定する特定部と、
前記特定部により特定された稼働形態を前記監視装置に送信する稼働形態送信部と、を備え、
前記取得部は、前記稼働形態送信部から、前記電気機器の稼働形態を取得する、
監視システム。
【請求項２】
前記第１判定部が、前記電気機器から、前記状態取得要求送信部により送信された状態取得要求に対する応答を受信しなかった場合において、前記取得部により取得された稼働形態が、前記電気機器の電源が常時オンの状態でない旨を表す場合、前記第１判定部は、前記電気機器の電源がオフの状態である可能性があると判定する、
請求項１に記載の監視システム。
【請求項３】
前記第１判定部が、前記電気機器から、前記状態取得要求送信部により送信された状態取得要求に対する応答を受信しなかった場合において、前記取得部により取得された稼働形態が、前記電気機器が常時電源がオンの状態である旨を表す場合、前記第１判定部は、前記電気機器と前記監視装置との間の通信に異常があると判定する、
請求項１または２に記載の監視システム。
【請求項４】
前記取得部は、ユーザから、前記電気機器の稼働形態を表す入力を受け付ける、
請求項１から３のいずれか１項に記載の監視システム。
【請求項５】
前記状態取得要求送信部は、前記電気機器に、前記状態取得要求を定期的に送信し、
前記取得部は、前記状態取得要求送信部により送信された状態取得要求に対する応答の有無が変化した頻度が閾値よりも小さい場合、前記電気機器の電源が常時オンの状態である旨を表す稼働形態を取得する、
請求項１から４のいずれか１項に記載の監視システム。
【請求項６】
前記電気機器と、前記監視装置と、を通信可能に接続する第２通信アダプタをさらに備え、
前記第２通信アダプタは、
前記電気機器から前記第２通信アダプタに供給される電力を検知する検知部と、
前記検知部により検知された前記電力の有無が変化した場合、前記監視装置に、前記電気機器の電源状態が変化した旨を通知する通知部と、を備え、
前記監視装置は、
前記通知部から受信した前記通知に基づいて、前記電気機器の電源状態を表すフラグを更新し、前記電気機器から、前記状態取得要求送信部により送信された状態取得要求に対する応答と、前記フラグと、に基づいて、前記電気機器の状態を判定する第２判定部をさらに備える、
請求項１から５のいずれか１項に記載の監視システム。
【請求項７】
前記監視装置と通信可能に接続される、電源検知装置をさらに備え、
前記電源検知装置は、
電源から前記電気機器に供給される電流を検知する検知部と、
前記検知部により検知された前記電流の波形が、前記電気機器の電源状態の変化を表す波形パターンとマッチする場合、前記監視装置に、前記電気機器の電源状態が変化した旨を通知する通知部と、を備え、
前記監視装置は、
前記通知部から受信した前記通知に基づいて、前記電気機器の電源状態を表すフラグを更新し、前記電気機器から、前記状態取得要求送信部により送信された状態取得要求に対する応答と、前記フラグと、に基づいて、前記電気機器の状態を判定する第２判定部をさらに備える、
請求項１から５のいずれか１項に記載の監視システム。
【請求項８】
電気機器と、該電気機器の状態を監視する監視装置と、を通信可能に接続する通信アダプタであって、
電気機器毎に、該電気機器の稼働形態を対応付けて記憶する記憶部と、
前記記憶部から、前記電気機器に対応する稼働形態を特定する特定部と、
前記特定部により特定された稼働形態を前記監視装置に送信する稼働形態送信部と、を備える、
通信アダプタ。
【請求項９】
電気機器と、該電気機器の状態を監視する監視装置と、を通信可能に接続するコンピュータの監視方法であって、
電気機器毎に、該電気機器の稼働形態を対応付けて記憶する記憶部から、前記電気機器に対応する稼働形態を特定する特定ステップと、
前記特定ステップで特定された稼働形態を前記監視装置に送信する稼働形態送信ステップと、
を有する監視方法。
【請求項１０】
電気機器と、該電気機器の状態を監視する監視装置と、を通信可能に接続するコンピュータを、
電気機器毎に、該電気機器の稼働形態を対応付けて記憶する記憶部から、前記電気機器に対応する稼働形態を特定する特定部、
前記特定部により特定された稼働形態を前記監視装置に送信する稼働形態送信部、
として機能させるためのプログラム。
【国際調査報告】
2015071972.tif 000022
2015071972.tif 000023
2015071972.tif 000024
2015071972.tif 000025